(57)【特許請求の範囲】
【請求項１】
基台に取り付けられた支持部材と、前記支持部材の先端に設けられ水平方向又は垂直方向に並んで架設された架空ケーブルを支持する支持手段とを備えた仮支持装置であって、
前記支持部材の先端に取り付けられ、前記支持手段により前記架空ケーブルが支持されている状態にあるときに前記架空ケーブルから作用する垂直方向の荷重を検出する垂直荷重検出部と、前記架空ケーブルから作用する水平方向の荷重を検出する水平荷重検出部とからなる荷重検出手段を有し、
前記水平荷重検出部は、前記支持部材の先端に水平方向に延びた状態で設けられ、
前記垂直荷重検出部は、前記水平荷重検出部の端部に接続されて垂直上方に延びた状態で設けられていることを特徴とする仮支持装置。
【請求項２】
前記垂直荷重検出部の上部及び側部に前記支持手段を選択的に装着可能な装着部を有することを特徴とする請求項１記載の仮支持装置。
【発明の詳細な説明】
【０００１】
【発明の属する技術分野】
本発明は、仮支持装置に関し、更に詳細には、ブームの先端に取り付けられたサブブームと、サブブームの先端に設けられ水平方向又は垂直方向に並んで架設された架空ケーブルを支持する支持手段とを備えた仮支持装置に関する。
【０００２】
【従来の技術】
電柱に配設された碍子の交換等の配電作業を行なう場合、一般に、起伏等が自在な伸縮ブームの先端部に仮支持装置を有した高所作業車が使用される。この仮支持装置は、ブームの先端に少なくとも起伏動可能に取り付けられたサブブームと、サブブームの先端に上下方向に揺動可能に取り付けられたブラケットと、ブラケットの先端側端部に取り付けられた荷重検出器と、荷重検出器の上部に取り付けられて水平方向に並んで架設された電線を支持する支持手段とを有して構成されているものがある。支持手段は荷重検出器の上部に取り付けられて水平方向に延びる仮腕部材に上方へ延びた状態で配設されている。
【０００３】
この高所作業車により電柱に取り付けられた碍子の交換を行なうには、伸縮ブームを作動させて交換すべき碍子の近くに仮支持装置を移動させ、碍子に接続されている電線を支持する電柱に代わって仮支持装置で支持した後に、碍子から電線を取り外して新しい碍子と交換する。
【０００４】
【発明が解決しようとする課題】
ここで、電線が垂直方向に並んで電柱間に架設されている場合、この電柱に取り付けられた碍子を交換するには、水平方向に延びる仮腕部材を上下方向に隣接する電線間に挿入して支持手段を仮支持する電線の下方に移動させればよいが、隣接する電線間の間隙が狭いと支持手段を仮支持する電線の下方に移動さることができず、また支持手段を仮支持する電線の下方に移動させることができても仮腕部材等が隣接する他の電線に接触して電線を損傷させる虞がある。このため、電線を仮支持することがきず、碍子の交換を行なうことができない場合がある。
【０００５】
そこで、荷重検出器の先端側壁部に仮腕部材を垂直方向に取り付けて支持手段を仮支持する電線の下方に移動させ、この支持手段により電線を仮支持する方法が提案された。しかしながら、この方法ではサブブームの先端と電線を仮支持する支持手段との間の距離が大きくなってサブブームの先端に大きな曲げモーメントが作用させることになり、今まで使用していたサブブームでは強度が不足する虞が生じた。その結果、今まで使用していたサブブームをそのまま使用して垂直方向に並んだ電線を仮支持することができる仮支持装置が要望されるようになった。
【０００６】
本発明は、このような問題に鑑みてなされたものであり、今まで使用していたサブブームをそのまま使用して水平方向及び垂直方向に並んだ電線を仮支持することができる仮支持装置を提供することを目的とする。
【０００７】
【課題を解決するための手段】
前記課題を解決するために本発明の仮支持装置は、基台（例えば、実施形態におけるサブブーム支持部材３３）に取り付けられた支持部材（例えば、実施形態におけるサブブーム部材３５）と、支持部材の先端に設けられ水平方向又は垂直方向に並んで架設された架空ケーブル（例えば、実施形態における電線Ｄ）を支持する支持手段（例えば、実施形態における電線支持具６３）とを備えたものであり、前記支持部材の先端に取り付けられ、前記支持手段により前記架空ケーブルが支持されている状態にあるときに前記架空ケーブルから作用する垂直方向の荷重を検出する垂直荷重検出部と、前記架空ケーブルから作用する水平方向の荷重を検出する水平荷重検出部とからなる荷重検出手段（例えば、実施形態における荷重検出器４０）を有し、前記水平荷重検出部は、前記支持部材の先端に水平方向に延びた状態で設けられ、前記垂直荷重検出部は、前記水平荷重検出部の端部に接続されて垂直上方に延びた状態で設けられている。
【０００８】
上記構成の仮支持装置によれば、支持手段により架空ケーブルが支持されている状態にある場合、架空ケーブルから支持手段に垂直方向の荷重が作用すると垂直荷重検出部が垂直方向の荷重を検出し、架空ケーブルから水平方向の荷重が支持手段に作用すると水平荷重検出部が水平方向の荷重を検出する。
【０００９】
ここで、垂直方向に並んで架設された架空ケーブルを仮支持する場合、サブブームの先端に取り付けられたブラケットの先端側壁部に荷重検出器を取り付け、この荷重検出器の先端側壁部に支持手段を取り付けた従来と比較して、本発明は荷重検出器が支持部材の先端に取り付けられているので、架空ケーブルを仮支持する支持手段と支持部材の先端との間の距離を小さくすることができる。その結果、支持部材の先端に作用するモーメントを小さくすることができ、今まで使用していた支持部材の強度を上げることなく支持部材をそのまま使用して、支持手段により垂直方向に並んで架設された架空ケーブルを仮支持することができる。
【００１０】
また、上記構成の仮支持装置において、垂直荷重検出部の上部及び側部に支持手段を選択的に装着可能な装着部を設けてもよい。
【００１１】
上記構成の仮支持装置によれば、垂直方向に並んで架設された架空ケーブルを仮支持する場合、支持手段を垂直荷重検出部の側部に設けられた装着部に装着する。また、水平方向に並んで架設された架空ケーブルを仮支持する場合、支持手段を垂直荷重検出部の上部に設けられた装着部に装着する。このように、支持手段を垂直荷重検出部の上部及び側部のいずれかに配設された装着部に装着することで、水平方向に並んで架設された架空ケーブルのみならず、垂直方向に並んで架設された架空ケーブルを仮支持することができる。
【００１２】
【発明の実施の形態】
以下、本発明の好ましい実施の形態を図１から図４に基づいて説明する。本実施の形態は車体に起伏、伸縮及び旋回動可能に取り付けられたブームの先端に仮支持装置を備えた高所作業車の態様を示す。
【００１３】
最初に、本発明に係わる仮支持装置を説明する前に、この仮支持装置を搭載した高所作業車を説明する。高所作業車１は、図１に示すように、トラックをベースとして構成されており、車体３の前部に運転キャビン５を有し、運転キャビン５よりも車両後方側の車体前後の左右両側部には外側に張り出して車体３を持ち上げ支持するアウトリガジャッキ７が配設されている。車体３の後部には車体３に内蔵された旋回モータ１１により駆動されて水平旋回可能に構成された旋回台９が配設されている。
【００１４】
旋回台９の上部には基端部が枢結されたブーム１３が取り付けられており、このブーム１３は起伏シリンダ１７により起伏動可能に構成されている。ブーム１３は、基端ブーム１３ａ、中間ブーム１３ｂ、先端ブーム１３ｃを入れ子式に組み合わせて内蔵された伸縮シリンダ１５により伸縮動されるように構成されている。先端ブーム１３ｃの先端にはブーム９の起伏角度に係わらず常時垂直状態に作動制御される垂直ポスト１７が枢結されている。垂直ポスト１７の上部には水平アーム１９を介して作業台２１が旋回動可能に取り付けられている。
【００１５】
次に、仮支持装置３０を説明する。仮支持装置３０は垂直ポスト１７の上端に旋回動自在に取り付けられた回動部３１と、回動部３１の上部に上下方向に揺動可能に取り付けられたサブブーム支持部材３３と、サブブーム支持部材３３に移動可能に支持されるサブブーム部材（支持部材）３５と、サブブーム部材３５の先端に上下方向に揺動可能に枢結されたブラケット（接続手段）３７と、ブラケット３７の上部に取り付けられた荷重検出器４０と、荷重検出器４０の上部及び先端側壁部に着脱可能に装着される仮腕部材６０と、仮腕部材６０に着脱可能に装着される電線支持具６３とを有して構成されている。
【００１６】
サブブーム支持部材３３は上部にサブブーム部材３５を挿通させる挿通孔（図示せず）を有し、この挿通孔にサブブーム部材３５を挿通させ、サブブーム支持部材３３及びサブブーム部材３５に形成された図示しない位置決め孔に固定ピンを通すことでサブブーム部材３５がサブブーム支持部材３３に固定されるように構成されている。ブラケット３７はサブブーム部材３５の起伏角度に応じて揺動角度を所定の角度に調整して固定可能に構成されている。
【００１７】
ブラケット３７の上部には荷重検出器４０が取り付けられている。荷重検出器４０は、図２に示すように、左右方向に延びる水平荷重検出部４１と、上下方向に延びる垂直荷重検出部５１とを有して構成されている。水平荷重検出部４１はブラケット３７の上部に水平方向に延びた状態で取り付けられた水平スライドレール４２と、この水平スライドレール４２の上側及び左右両側方向から囲むように形成されて水平スライドレール４２上を移動する水平ブラケット４３と、水平スライドレール４２の下部の左右両側に配設されて水平ブラケット４３の移動方向に抗する力を付勢する一対の水平付勢ばね４４と、水平ブラケット４３の移動を検出する水平移動検出センサ４５とを有して構成されている。
【００１８】
水平ブラケット４３は上下方向に力が作用しても水平ブラケット４３が水平スライドレール４２から外れることがないように水平スライドレール４２に取り付けられている。水平付勢ばね４４は圧縮した状態で取り付けられており、所定値以上の水平荷重が作用したときに水平ブラケット４３が左右方向に移動するように構成されている。水平移動検出センサ４５は水平ブラケット４３が左右方向のいずれかに移動したことを検出するため、水平ブラケット４３の左右両壁部の内側に一対設けられている。水平移動検出センサ４５はマイクロスイッチであり、図示しない操作片を有し、この操作片に水平スライドレール側に取り付けられたドグ（図示せず）が接触して水平ブラケット４３の移動を検出するように構成されている。
【００１９】
垂直荷重検出部５１は、水平ブラケット４３の左側上部に接続されて上方へ延びる接続部材５２の先端に垂直方向に延びた状態で取り付けられた垂直スライドレール５３と、この垂直スライドレール５３の先端側及び左右両側方向から囲むように形成されて垂直スライドレール５３上を垂直方向に移動する垂直ブラケット５４と、垂直ブラケット５４の右側上部内と水平ブラケット４３の左側上部間に挟装され、垂直ブラケット５４の下方への移動に抗する力（上向きの力）を付勢する垂直付勢ばね５５と、垂直ブラケット５４の移動を検出する垂直移動検出センサ５６とを有して構成されている。
【００２０】
垂直ブラケット５４は左右方向に力が作用してもこれが垂直スライドレール５３から外れることがないように垂直スライドレール５３に取り付けられている。垂直付勢ばね５５は弾性係数の小さなものと大きいものを直列に配置したものである。このように構成すると、小さい垂直荷重を検出することも可能である。尚、垂直付勢ばね５５は１つのばねで構成して圧縮状態で取り付けられてもよい。
【００２１】
垂直移動検出センサ５６は垂直ブラケット５４が上下方向に移動したことを検出するため、水平ブラケット４３の左側両壁部の内側に一対設けられている。垂直移動検出センサ５６は水平移動検出センサ４５と同一のマイクロスイッチであり、図示しない操作片を有し、この操作片が垂直ブラケット５４に取り付けられたドグ５７に接触して垂直ブラケット５４の移動を検出するように構成されている。垂直ブラケット５４の上部及び左側壁部には外側へ突出する装着部５８が取り付けられている。装着部５８には所定の間隙を有して配置された２つの装着孔５８ａが形成されている。
【００２２】
図３に示すように、仮腕部材６０は棒状であり、その略中央部には装着部５８に接合した状態で図示しないボルト等の締め付け冶具を図２に示す装着孔５８ａに通して固定される固定部６０ａが配設されている。また、仮腕部材６０には電線支持具６３が着脱可能に装着されている。電線支持具６３は、図１に示すように、仮腕部材６０に着脱可能に構成された突出部６２と、突出部６２の上部に取り付けられた四面ローラ６５とを有して構成されている。四面ローラ６５は４つのローラを対向配置してこれらのローラの内側に電線が通る電線挿通孔６６を形成している。先端側のローラは一端が支点となって揺動可能であり、他端が隣接する部材（図示せず）に固定可能に構成されている。
【００２３】
次に、本発明に係わる仮支持装置３０の作動に関して、垂直方向に並んで架設された電線を支持して碍子を交換する交換作業について説明する。尚、図１に示す高所作業車１は作業現場に移動し、アウトリガジャッキ７により車体３が持ち上げ支持されているものと想定する。
【００２４】
まず、仮支持装置３０により垂直方向に並んで架設された電線を仮支持する作動を説明する前に、水平方向に並んだ電線Ｄを仮支持する場合の作動について説明する。まず、図１に示すように、荷重検出器４０の上部に配設された装着部５８に仮腕部材６０の固定部６０ａを装着して水平状態にする。そして、ブラケット３７の枢結位置Ｐの上方に装着された電線支持具６３の四面ローラ６５に電線Ｄを通し、電線Ｄが電線支持具６３によって仮支持される。ここで、枢結位置Ｐの上方に電線支持具６３を配設することができるので、電線Ｄから電線支持具６３に垂直下方の荷重Ｆが作用すると、サブブーム部材３５の先端の枢結位置Ｐにはこの垂直下方の荷重Ｆが作用することになる。
【００２５】
次に、垂直方向に並んで架設された電線を仮支持する作動を説明する。まず、荷重検出器４０の側部に取り付けられた装着部５８に仮腕部材６０の固定部６０ａを垂直方向に取り付ける。そして、図３に示すように、作業台２１を移動させて碍子交換を行なう碍子に接続された電線Ｄ１の近くに電線支持具６３の四面ローラ６５を移動させる。四面ローラ６５が電線Ｄの近傍に移動すると、四面ローラ６５に電線Ｄ１を通して電線Ｄ１が電線支持具６３によって仮支持される。そして、電柱（図示せず） に装着された碍子（図示せず）から電線Ｄを取り外し、碍子を交換する。
【００２６】
ここで、電線Ｄ１の自重による垂直下方の荷重Ｆが四面ローラ６５に作用してサブブーム部材３５の先端に枢結されたブラケット３７の枢結位置Ｐに作用する曲げモーメントＭについて考える。荷重Ｆが電線支持具６３に作用すると、荷重Ｆは仮腕部材６０を介して図２（ｂ）に示す垂直荷重検出部５１の垂直ブラケット５４に伝わり、垂直付勢ばね５５を圧縮して垂直ブラケット５４を下方へ移動させる。そして、荷重Ｆと垂直付勢ばね５５の付勢力とがつり合うと垂直ブラケット５４の移動が停止して、垂直移動検出センサ５６が荷重Ｆを検出する。
【００２７】
これと同時に、荷重Ｆは水平荷重検出部４１及びブラケット３７等を介してブラケット３７とブーム部材３５との枢結位置Ｐにおいて曲げモーメントＭ（即ち、Ｍ＝F・Ｌ）として作用する。ここで、四面ローラ６５に支持された電線Ｄ１とブラケット３７の枢結位置Ｐと間の水平距離Ｌは短い。これは、サブブーム部材３５の先端上部に荷重検出器４０が配設されているので、枢結位置Ｐよりも左側へ突出する荷重検出器４０の先端側壁部４０ａの突出距離Ｌ１が小さいからである。その結果、枢結位置Ｐに作用する曲げモーメントＭの大きさを小さくすることができる。
【００２８】
このため、前述した水平方向に並んだ電線から作用する垂直荷重Ｆや仮腕部材６０の自重等を考慮して製造されたサブブーム部材３５にこの垂直荷重Ｆの代わりに曲げモーメントＭが作用しても、今まで使用していたサブブーム部材３５の強度が不足する虞はない。その結果、今まで使用していたサブブーム部材３５をそのまま使用して垂直方向に並んだ電線Ｄを仮支持することができる。
【００２９】
尚、前述した実施の形態では、荷重検出器４０の先端側壁部４０ａは枢結位置Ｐから突出距離Ｌ１の位置に配設した例を示したが、これに限るものではなく、荷重検出器４０をサブブーム部材３５の基端側に移動させて垂直状態にある仮腕部材６０がブラケット３７等に当接しない位置でもよい。また、前述した実施の形態では図２に示すように、装着部５８は垂直荷重検出部５１の上部及び先端側壁部に別個に設けられた例を示したが、これに限るものではなく、図４に示すように一体として構成してもよい。即ち、装着部５８は垂直荷重検出部５１の上部及び先端側壁部間に跨って一体に構成する。そして、装着部５８の上部の左右両端部に２つの装着孔５８ａを配設し、この２つの装着孔５８ａのうち左側の装着孔５８ａの下方であって下方へ延びる装着部５８の下部に他の装着孔５８ａを配設する。このように３つの装着孔５８ａを配設することで、中央に配設された装着孔５８ａ（矢印Ａで示した孔）は、固定部６０ａを垂直荷重検出部５１の上部に装着する場合及び固定部６０ａを垂直荷重検出部５１の先端側壁部に装着する場合において共通の装着孔５８ａとして使用することができる。
【００３０】
【発明の効果】
以上説明したように、本発明における仮支持装置によれば、支持手段により架空ケーブルが支持されている状態にあるときに架空ケーブルから作用する垂直方向の荷重を検出する垂直荷重検出部と、架空ケーブルから作用する水平方向の荷重を検出する水平荷重検出部とを直角方向に配置した荷重検出手段を支持部材の先端に取り付けることで、支持手段により垂直方向に並んで架設された架空ケーブルを仮支持する場合、荷重検出器は支持部材の先端に取り付けられているので、架空ケーブルを仮支持する支持手段と支持部材の先端との間の距離を小さくすることができる。その結果、支持部材の先端に作用するモーメントを小さくすることができ、今まで使用していた支持部材の強度を上げることなく支持部材をそのまま使用して、支持手段により垂直方向に並んで架設された架空ケーブルを仮支持することができる。
【図面の簡単な説明】
【図１】本発明の一実施の形態における仮支持装置を搭載した高所作業車の正面図を示す。
【図２】本発明の一実施の形態における仮支持装置を示し、同図（ａ）は仮支持装置の平面図であり、同図（ｂ）は仮支持装置の正面図であり、同図（ｃ）は仮支持装置の右側側面図である。
【図３】本発明の一実施の形態における仮支持装置の作動を説明するための正面図である。
【図４】本発明の一実施の形態における荷重検出器の正面図である。
【符号の説明】
３０  仮支持装置
３３  サブブーム支持部材（基台）
３５  サブブーム部（支持部材）
４０  荷重検出器（接続手段、荷重検出手段）
４１  水平荷重検出部
５１  垂直荷重検出部
５８  装着部
６３  電線支持具（支持手段）
Ｄ  電線（架空ケーブル）
【図１】
0004827318.tif 000002
【図２】
0004827318.tif 000003
【図３】
0004827318.tif 000004
【図４】
0004827318.tif 000005